(57)【特許請求の範囲】
【請求項１】
扉を開閉可能に支持する開口枠に配線コードが配索される建具であって、
前記開口枠の縦枠の長手方向端面に設けられた小口を塞ぐキャップ部材を備え、
前記縦枠内部に通された前記配線コードを前記縦枠の見付け面側へと引き出す配線経路を、前記キャップ部材又は前記キャップ部材と前記小口との間に形成したことを特徴とする建具。
【請求項２】
請求項１に記載の建具において、
前記縦枠の長手方向端面を、前記開口枠の横枠の長手方向端面の一部と重なる位置に設けることで、該縦枠の見込み面と前記横枠の長手方向端面との間を締結する取付ねじの着座面を前記縦枠に設け、
前記キャップ部材は、前記縦枠の長手方向端面と前記横枠の長手方向端面との間に形成される前記開口枠の角部の段ずれ部を埋めるように設けられることを特徴とする建具。
【請求項３】
請求項１又は２に記載の建具において、
前記縦枠の見付け面を覆う額縁部材を備え、
前記額縁部材は、その長手方向端部における前記配線経路に対向する部分に切欠部を有することを特徴とする建具。
【請求項４】
請求項１〜３のいずれか１項に記載の建具において、
前記キャップ部材と前記縦枠との間にシール材を設けたことを特徴とする建具。
【請求項５】
請求項１〜４のいずれか１項に記載の建具において、
前記キャップ部材は、前記縦枠の上端面に設けられた小口を塞ぐものであり、
前記配線コードは、前記縦枠の上端部から見付け面側へと引き出されることを特徴とする建具。
【請求項６】
請求項１〜５のいずれか１項に記載の建具において、
前記開口枠は、既設扉を撤去して残存させた既設枠の内側に取り付けられる新設枠であり、
当該建具は、前記新設枠で新設扉となる前記扉を開閉可能に支持した改装扉であることを特徴とする建具。
【請求項７】
請求項１〜６のいずれか１項に記載の建具において、
前記配線コードは、前記縦枠に対してヒンジを用いて開閉可能に支持された前記扉の内部に設置された電気錠装置と、前記開口枠の外部の電源装置との間を接続するものであり、
前記配線コードは、前記電気錠装置から前記ヒンジを通して前記縦枠内部へと通されることを特徴とする建具。
【発明の詳細な説明】
【技術分野】
【０００１】
本発明は、扉を開閉可能に支持した開口枠に配線コードが配索される建具に関する。
【背景技術】
【０００２】
従来、例えばカード認証やリモコン操作等によって玄関ドアの鍵を電動で施錠及び解錠することのできる電気錠装置が使用されている。
【０００３】
例えば特許文献１には、玄関ドアに設けられた電気錠装置に接続された配線コードをヒンジを通して開口枠の縦枠へと配索し、この縦枠の見付け面に開口形成した通線用開口を通して外部に引き出す構成が開示されている。
【先行技術文献】
【特許文献】
【０００４】
【特許文献１】特許第４１０７０１１号公報
【発明の概要】
【発明が解決しようとする課題】
【０００５】
上記の通り、特許文献１の構成では、縦枠の見付け面に貫通孔である通線用開口を設けているが、この通線用開口は配線コードだけでなく、その端部に接続されたコネクタ類も挿通可能な内径を有する必要があり、ある程度大径に形成する必要がある。このため、特許文献１の構成では、通線用開口のためのスペースを縦枠の見付け面に確保する必要があって縦枠の見付け寸法を拡大せざるを得ず、ドア開口部の有効開口寸法が小さくなる懸念がある。
【０００６】
特に、例えば玄関ドア等の既設ドア枠を残存させた状態で既設ドアを撤去し、その内側に新設ドア枠及び新設ドアを取り付ける改装物件に上記配線コードの引き出し構造を転用した場合、元々有効開口寸法の確保が難しい新設ドア枠の有効開口寸法が一層狭小化する懸念がある。
【０００７】
本発明は、上記従来技術の課題を考慮してなされたものであり、配線コードを配索する場合であっても開口枠の有効開口寸法を十分に確保することができる建具を提供することを目的とする。
【課題を解決するための手段】
【０００８】
本発明に係る建具は、扉を開閉可能に支持する開口枠に配線コードが配索される建具であって、前記開口枠の縦枠の長手方向端面に設けられた小口を塞ぐキャップ部材を備え、前記縦枠内部に通された前記配線コードを前記縦枠の見付け面側へと引き出す配線経路を、前記キャップ部材又は前記キャップ部材と前記小口との間に形成したことを特徴とする。
【０００９】
このような構成によれば、縦枠の長手方向端面に設けた小口から配線コードを引き出し、キャップ部材又はキャップ部材と小口との間に形成した配線経路を介して外部に配線コードを引き出すため、縦枠の見付け寸法を拡大せずに、配線コード及びその端部に接続されるコネクタ類も容易に外部へと引き出すことができる。その結果、開口枠の有効開口寸法を十分に確保することができる。
【００１０】
本発明に係る建具において、前記縦枠の長手方向端面を、前記開口枠の横枠の長手方向端面の一部と重なる位置に設けることで、該縦枠の見込み面と前記横枠の長手方向端面との間を締結する取付ねじの着座面を前記縦枠に設け、前記キャップ部材は、前記縦枠の長手方向端面と前記横枠の長手方向端面との間に形成される前記開口枠の角部の段ずれ部を埋めるように設けられる構成としてもよい。そうすると、キャップ部材を設けた構成であっても縦枠と横枠との間を確実に締結することができ、また両枠間の段差をキャップ部材で埋めることができる。
【００１１】
本発明に係る建具において、前記縦枠の見付け面を覆う額縁部材を備え、前記額縁部材は、その長手方向端部における前記配線経路に対向する部分に切欠部を有する構成であってもよい。これにより、縦枠の見付け面側へと引き出された配線コードと額縁部材とが干渉することを回避できる。
【００１２】
本発明に係る建具において、前記キャップ部材と前記縦枠との間にシール材を設けた構成としてもよい。そうすると、配線コードが通された縦枠内へと雨水等が浸入することを防止できる。
【００１３】
本発明に係る建具において、前記キャップ部材は、前記縦枠の上端面に設けられた小口を塞ぐものであり、前記配線コードは、前記縦枠の上端部から見付け面側へと引き出される構成であってもよい。すなわち、例えば玄関ドアのように雨水等にさらされる建具ではその床面が濡れる場合があるため、配線コードを上部へと配索することで配線コードの水濡れを防止できる。
【００１４】
本発明に係る建具において、前記開口枠は、既設扉を撤去して残存させた既設枠の内側に取り付けられる新設枠であり、当該建具は、前記新設枠で新設扉となる前記扉を開閉可能に支持した改装扉であってもよい。すなわち、このように新築物件よりも開口枠の有効開口寸法の確保が難しい改装扉の場合でも、当該建具の構成を適用することで配線コードの配索と有効開口寸法の確保とを両立させることができる。
【００１５】
本発明に係る建具において、前記配線コードは、前記縦枠に対してヒンジを用いて開閉可能に支持された前記扉の内部に設置された電気錠装置と、前記開口枠の外部の電源装置との間を接続するものであり、前記配線コードは、前記電気錠装置から前記ヒンジを通して前記縦枠内部へと通される構成であってもよい。
【発明の効果】
【００１６】
本発明によれば、縦枠の見付け寸法を拡大せずに配線コード及びその端部に接続されるコネクタ類も容易に外部へと引き出すことができるため、開口枠の有効開口寸法を十分に確保することができる。
【図面の簡単な説明】
【００１７】
【図１】図１は、本発明の一実施形態に係る建具を室内側から見た正面図である。
【図２】図２は、図１に示す建具の縦断面図である。
【図３】図３は、図１に示す建具の横断面図である。
【図４】図４は、新設ドア枠内の配線経路の説明図であり、図４（Ａ）は、一方の縦枠と上枠との連結部分を拡大した斜視図であり、図４（Ｂ）は、図４（Ａ）に示す縦枠を見付け方向略中央で長手方向に沿って切断した断面斜視図である。
【図５】図５は、図４（Ａ）に示す新設ドア枠の分解斜視図である。
【図６】図６は、変形例に係る配線コードの配線経路の説明図であり、図６（Ａ）は、一方の縦枠と上枠との連結部分を拡大した一部分解斜視図であり、図６（Ｂ）は、図６（Ａ）に示す縦枠にキャップ部材を装着した状態を示す斜視図である。
【発明を実施するための形態】
【００１８】
以下、本発明に係る建具について好適な実施の形態を挙げ、添付の図面を参照しながら詳細に説明する。
【００１９】
図１は、本発明の一実施形態に係る建具１０を室内側から見た正面図である。また、図２は、図１に示す建具１０の縦断面図であり、図３は、図１に示す建具１０の横断面図である。
【００２０】
図１〜図３に示すように、建具１０は、建物の躯体１４の開口部に予め設置されていた既設ドアをドア枠（既設ドア枠１６）を残して撤去し、残存させた既設ドア枠１６の内側に新たなドア枠（新設ドア枠１８）を取り付けて新設ドア２０を開閉可能に支持した改装ドアである。新設ドア２０の戸先側内部には電気錠装置２２が搭載されており、カード認証やリモコン操作等によって鍵を電動で施錠及び解錠することができる。
【００２１】
本実施形態では、建具１０として住宅の玄関ドアの改装工事で設置される片開きドアを例示するが、建具１０は両開きドアであってもよい。また、本発明は、玄関ドア以外の各種開閉扉の改装工事の他、新築の建物の玄関ドアや開閉扉等にも利用可能である。
【００２２】
既設ドア枠（既設枠）１６は、上枠１６ａと、下枠１６ｂと、左右の縦枠１６ｃ，１６ｄとを四周枠組みすることで矩形の開口部を形成したものである。上枠１６ａ、下枠１６ｂ及び縦枠１６ｃ，１６ｄは、例えばアルミニウム等の金属材料の押出形材である。これら上枠１６ａ、下枠１６ｂ及び縦枠１６ｃ，１６ｄは、新設ドア枠１８の取付前から躯体１４に固定されている。下枠１６ｂの一部は、躯体１４の床面を構成する土間２３に埋設するように固定されている。
【００２３】
新設ドア枠（開口枠、新設枠）１８は、上枠１８ａと、下枠１８ｂと、左右の縦枠１８ｃ，１８ｄとを四周枠組みすることで矩形の開口部（ドア開口部１９）を形成したものである。上枠１８ａ、下枠１８ｂ及び縦枠１８ｃ，１８ｄは、例えばアルミニウム等の金属材料の押出形材で構成されている。
【００２４】
図２に示すように、上枠（横枠）１８ａは、室外側に配置される室外側部位２４ａと室内側に配置される室内側部位２４ｂとを一対設けられた樹脂材料の断熱材２６で連結し、断面略矩形状に形成した連結構造である。室内側部位２４ｂには、その見込み面から下方に突出した戸当たり部２８が設けられている。上枠１８ａは、室内側部位２４ｂが固定ねじ３０を介して躯体１４に連結固定される。上枠１８ａの室内側には、額縁部材３１が設けられている。額縁部材３１は、例えば断面略Ｌ字状に形成されたアルミニウム等の金属材料の押出形材であり、建具１０の室内側の見栄えを高めるためのものである。また、上枠１８ａの室外側見付け面には、既設ドア枠１６の上枠１６ａを室外側から覆い隠す外額縁３２が固定される。外額縁３２は、アルミニウム等の金属材料の押出形材で形成された化粧部材であり、建具１０の室外側の見栄えを高めるためのものである。
【００２５】
下枠（横枠）１８ｂは、既設ドア枠１６の下枠１６ｂの水切り面上に重ねて配置され、固定ねじ３４によって土間２３に連結固定される。下枠１８ｂは階段形状を有し、戸当たり部３５と、室内側端部に設けられた巾木部３６とが設けられている。
【００２６】
図２に示すように、左右の縦枠１８ｃ，１８ｄは、それぞれ室外側に配置される室外側部位３８ａと室内側に配置される室内側部位３８ｂとを一対設けられた樹脂材料の断熱材２６で連結し、断面略矩形状に形成した連結構造である。縦枠１８ｃ，１８ｄの室内側部位３８ｂには、その見込み面から内方に突出した戸当たり部４０がそれぞれ設けられている。縦枠１８ｃ，１８ｄは、室内側部位３８ｂが固定ねじ３０を介して躯体１４に連結固定される。上枠１８ａの室内側には、額縁部材４１が設けられている。額縁部材４１は、例えば断面略Ｌ字状に形成されたアルミニウム等の金属材料の押出形材であり、建具１０の室内側の見栄えを高めるためのものである。また、縦枠１８ｃ，１８ｄの室外側見付け面には、既設ドア枠１６の縦枠１６ｃ，１６ｄを室外側から覆い隠す外額縁４２が固定される。外額縁４２は、アルミニウム等の金属材料の押出形材で形成された化粧部材であり、建具１０の室外側の見栄えを高めるためのものである。
【００２７】
図１〜図３に示すように、新設ドア２０は片開きであり、新設ドア枠１８の縦枠１８ｃに取り付けられたヒンジ４４を介して新設ドア枠１８の内側で開閉可能に支持される。新設ドア２０は、新設ドア枠１８の各枠１８ａ〜１８ｄに設けられた戸当たり部２８，３５，４０の室外側で開閉するように設置される。
【００２８】
図１に示すように、建具１０では新設ドア２０の戸先側内部に電気錠装置２２が搭載されている。この電気錠装置２２に接続された配線コードＣは、新設ドア２０の内部からヒンジ４４を通して縦枠１６ｃの内部に形成された中空部４６内へと配索され、縦枠１６ｃの上端面の小口４８から縦枠１６ｃの室内側見付け面４９側へと引き出された後（図３参照）、最終的には上枠１８ａと額縁部材３１の間の空間を通って建物の天井側の電源装置へと接続される。
【００２９】
そこで、次に、配線コードＣを配索するための新設ドア枠１８内の配線経路の構成例を説明する。
【００３０】
図４は、新設ドア枠１８内の配線経路の説明図であり、図４（Ａ）は、一方の縦枠１８ｃと上枠１８ａとの連結部分を拡大した斜視図であり、図４（Ｂ）は、図４（Ａ）に示す縦枠１８ｃを見付け方向略中央で長手方向に沿って切断した断面斜視図である。また、図５は、図４（Ａ）に示す新設ドア枠１８の分解斜視図である。
【００３１】
図４（Ａ）及び図５に示すように、新設ドア枠１８では、縦枠１８ｃ（１８ｄ）の見込み面５０に上枠１８ａ（下枠１８ｂ）の長手方向端面５２が防水用のシール材５４を挟んで当接され、両者が取付ねじ５６で連結される縦勝ち構造とされている。また、縦枠１８ｃの上端面には、その小口４８を塞ぐ樹脂製のキャップ部材５８が上端面との間に防水用のシール材５９を挟んで嵌合装着される。
【００３２】
図５に示すように、キャップ部材５８は、矩形筒状のキャップ本体６０と、キャップ本体６０の下面から下方に向かって突出し、縦枠１８ｃの小口４８に嵌挿される複数の嵌合片６２とを有する。図４（Ｂ）に示すように、キャップ本体６０の内部には、嵌合片６２が小口４８に嵌挿された際に中空部４６と連通する連通開口６０ａと、連通開口６０ａからキャップ本体６０の室内側見付け面に開口した矩形のコード挿通孔６０ｂまでの間を連通させるトンネル状の筒部６０ｃとが設けられている。樹脂製のキャップ本体６０に筒部６０ｃ及びコード挿通孔６０ｂを設けたことで、配線コードＣの損傷が防止される。
【００３３】
本実施形態の場合、縦枠１８ｃの上端を上枠１８ａの上面よりも一段低く設定することで、上枠１８ａの長手方向端面５２の一部と重なる位置に設けている。その結果、縦枠１８ｃの見込み面５０も上枠１８ａの長手方向端面５２と重なり、この見込み面５０の重なり部分が取付ねじ５６の着座面６４として機能する。換言すれば、縦枠１８ｃの上端を上枠１８ａに対する取付ねじ５６の着座面６４を確保できる高さまで延出している。
【００３４】
この際、キャップ部材５８は、縦枠１８ｃの上端面と上枠１８ａの長手方向端面５２との間に形成される角部の段ずれ部６６を埋めるように設けられる（図４（Ａ）参照）。これにより、キャップ部材５８の上面と上枠１８ａの上面とが面一に設定され、両面に形成された排水溝６０ｄ，６８が互いに連通する。
【００３５】
なお、他方の縦枠１８ｄと上枠１８ａとの間も、縦枠１８ｃの場合と同様に段ずれ部６６を設けてそこにキャップ部材５８と同様なキャップ部材が配設されるが、こちらのキャップ部材は配線コードＣを通す必要がないため、コード挿通孔６０ｂを持たない構成であってもよい。また、新設ドア２０の開き方向が逆で、縦枠１８ｄ側に配線コードＣを通す必要がある場合には、こちらにキャップ部材５８を装着すればよい。
【００３６】
図４（Ａ）及び図４（Ｂ）に示すように、配線コードＣの配線経路は、このような縦枠１８ｃ及びキャップ部材５８によって画成される。
【００３７】
図３に示すように、縦枠１８ｃの中空部４６内に通された配線コードＣは、中空部４６内を上方へと通された後、その上端面に設けられた小口４８から引き出され、キャップ部材５８の連通開口６０ａ、筒部６０ｃ、コード挿通孔６０ｂの順に挿通されることで縦枠１８ｃの室内側見付け面４９側へと引き出される。
【００３８】
このように縦枠１８ｃの上端面の小口４８からキャップ部材５８を介して室内側へと引き出された配線コードＣは、図１に示すように上枠１８ａの内側、具体的には上枠１８ａに設けた額縁部材３１の内部を通され、最終的には反対側の縦枠１８ｄの上端部を介して天井側へと配索され、建物の電源装置へと所定のコネクタ等を介して接続される。
【００３９】
この際、キャップ部材５８のコード挿通孔６０ｂから引き出された配線コードＣが縦枠１８ｃの室内側見付け面４９を覆う額縁部材４１に干渉することを回避する必要がある。そこで、図４（Ａ）中に２点鎖線で示すように、額縁部材４１の上端面における配線コードＣの配線経路（コード挿通孔６０ｂ）に対向する角部には切欠部４１ａが形成され、配線コードＣとの干渉を回避している。また、この額縁部材４１の場合と同様に、既設ドア枠１６の縦枠１６ｃの戸当たり部１７（図３参照）の上端部がコード挿通孔６０ｂから引き出された配線コードＣに干渉する際には、この戸当たり部１７の上端部にも切欠部４１ａと同様な切欠部を設けておくとよい。
【００４０】
なお、上記構成では、当該建具１０が玄関ドアである点を考慮し、配線コードＣを雨水等での水濡れが懸念される床面から離れた位置に配索すべく、縦枠１８ｃの上端部に設けたキャップ部材５８を介して室内側へと引き出す構成としている。これに対し、建具１０が玄関ドアであっても雨水等の浸入が少ない場合や屋内の開閉ドアである場合には、下枠１８ｂとの連結部となる縦枠１８ｃの下端面の小口にキャップ部材５８を装着し、中空部４６内を下方に通された配線コードＣをこのキャップ部材５８から室内側見付け面４９側へと引き出した後、新設ドア枠１８の外部へと配索する構成としてもよい。
【００４１】
縦枠１８ｃの上端から室内側へと引き出された後の配線コードＣの配線経路は、図１に示した上枠１８ａを通す以外の経路であってもよく、例えば縦枠１８ｃの室内側に設けた額縁部材４１の内側を再び下方に向かって通した後、任意な位置から外部へと引き出して建物の電源装置に接続するように構成してもよい。
【００４２】
図６は、変形例に係る配線コードＣの配線経路の説明図であり、図６（Ａ）は、一方の縦枠１８ｃと上枠１８ａとの連結部分を拡大した一部分解斜視図であり、図６（Ｂ）は、図６（Ａ）に示す縦枠１８ｃにキャップ部材７０を装着した状態を示す斜視図である。
【００４３】
図４及び図５に示す構成例では、配線コードＣを縦枠１８ｃの室内側見付け面４９側へと引き出す配線経路をキャップ部材５８に形成した。これに対し、図６に示す構成例では、配線コードＣを縦枠１８ｃの室内側見付け面４９側へと引き出す配線経路をキャップ部材７０と縦枠１８ｃの小口４８との間に形成している。
【００４４】
図６（Ａ）に示すように、キャップ部材７０は、薄板状のキャップ本体７２と、キャップ本体７２の下面から下方に向かって突出し、縦枠１８ｃの小口４８に嵌挿される複数の嵌合片７４とを有する。キャップ本体７２の上面には、上枠１８ａの上面の排水溝６８と連通する排水溝７２ａが形成されている。また、キャップ部材７０についても、シール材５９を挟んで縦枠１８ｃの上端面の小口４８に嵌合装着される。
【００４５】
このようなキャップ部材７０が装着される縦枠１８ｃの室内側見付け面４９の上端には、配線コードＣを挿入可能な溝状の切欠部７６が形成されている。切欠部７６は、その上部開口がキャップ部材７０で蓋されることで小口４８からの配線コードＣを縦枠１８ｃの室内側見付け面４９側へと引き出すコード挿通孔７６となる。なお、金属製の縦枠１８ｃの切欠部７６のエッジで配線コードＣが損傷しないように、切欠部７６の周縁部にはゴム材料等の保護材を設けておくとよい。なお、この構成例の場合には、縦枠１８ｃの上端面が上枠１８ａの上面と略一致する位置に設けられることになる。
【００４６】
以上のように、本実施形態に係る建具１０では、新設ドア２０を開閉可能に支持する新設ドア枠１８に配線コードＣが配索される構成において、縦枠１８ｃの長手方向端面（図４は上端面）に設けられた小口４８を塞ぐキャップ部材５８を備え、縦枠１８ｃ内部に（本実施形態では中空部４６内を長手方向に沿って）通された配線コードＣを縦枠１８ｃの室内側見付け面４９側へと引き出す配線経路を、キャップ部材５８又はキャップ部材７０と小口４８との間に形成している。
【００４７】
このように、縦枠１８ｃの長手方向端面に設けた小口４８から配線コードＣを引き出し、キャップ部材５８又はキャップ部材７０と小口４８との間に形成した配線経路を介して外部に配線コードＣを引き出す。これにより、縦枠１８ｃの見付け寸法を拡大せずに、配線コードＣ及びその端部に接続されるコネクタ類も容易に外部へと引き出すことができ、ドア開口部１９の有効開口寸法を十分に確保することができる。なお、建物の仕様等によっては、配線コードＣを縦枠１８ｃの室外側見付け面側に引き出す構成であってもよい。
【００４８】
この際、建具１０の縦枠１８ｃは、室外側部位３８ａと室内側部位３８ｂとの間を一対の断熱材２６で連結した構造であり、縦枠１８ｃの長手方向の途中に貫通孔を形成し、そこから配線コードＣを引き出すことが難しい。この点、上記のように配線コードＣを縦枠１８ｃの長手方向端面まで延出させて小口４８から引き出す構成としたことで、配線経路の確保を可能としている。
【００４９】
特に、建具１０は、既設ドアを撤去して残存させた既設ドア枠１６の内側に新設ドア枠１８を取り付けた改装ドアであり、ドア開口部１９の有効開口寸法の確保が新築物件に比べて難しいという事情がある。この点、上記の配線経路を適用すれば、新設ドア枠１８の縦枠１８ｃの見付け寸法を増大させることなく配線コードＣの配索が可能となるため、特に有効である。
【００５０】
建具１０では、縦枠１８ｃの中空部４６内からキャップ部材５８（７０）の内側を通して配線コードＣを配索する。そこで、キャップ部材５８（７０）と縦枠１８ｃとの間にシール材５９を設けて遮水性を確保することで、配線コードＣの水濡れを防止できる。
【００５１】
なお、本発明は、上記した実施形態に限定されるものではなく、本発明の主旨を逸脱しない範囲で自由に変更できることは勿論である。
【符号の説明】
【００５２】
１０  建具、１４  躯体、１６  既設ドア枠、１６ａ，１８ａ  上枠、１６ｂ，１８ｂ  下枠、１６ｃ，１６ｄ，１８ｃ，１８ｄ  縦枠、１８  新設ドア枠、１９  ドア開口部、２０  新設ドア、２２  電気錠装置、２４ａ，３８ａ  室外側部位、２４ｂ，３８ｂ  室内側部位、２６  断熱材、３１，４１  額縁部材、４１ａ，７６  切欠部、４４  ヒンジ、４６  中空部、４８  小口、４９  室内側見付け面、５０  見込み面、５２  長手方向端面、５４，５９  シール材、５６  取付ねじ、５８，７０  キャップ部材、６０，７２  キャップ本体、６０ａ  連通開口、６０ｂ，７６  コード挿通孔、６０ｃ  筒部、６０ｄ，６８，７２ａ  排水溝、６２，７４  嵌合片、６４  着座面、６６  段ずれ部、Ｃ  配線コード
【図１】
0006423289.tif 000002
【図２】
0006423289.tif 000003
【図３】
0006423289.tif 000004
【図４】
0006423289.tif 000005
【図５】
0006423289.tif 000006
【図６】
0006423289.tif 000007